(57)【特許請求の範囲】
【請求項１】
前後方向の長さと、左右方向の幅と、上下方向の高さとを有するカメラ本体と、
前記カメラ本体に設けられた撮影部と、
前記カメラ本体に設けられ前記撮影部で撮像された画像情報が記録される記録媒体が挿入口を介して装脱可能に収容される記録媒体収容部と、
前記カメラ本体の上部に位置する上壁に形成され上方と後方とが開放状で前後方向に延在する収容凹部と、
前後方向に延在して前方に位置する前部と後方に位置する後部とを有し、前記収容凹部に前記後部を除いた残りの部分が収容される大きさで形成され、前記前部が前記収容凹部の前部で左右方向に延在する軸心を中心として揺動可能に結合され、前記軸心を中心として、前記後部を除いた残りの部分が前記収容凹部に収容される第１位置と、前記後部が上方に突出するように傾斜した第２位置との間で揺動可能に設けられたビューファインダ部とを備える撮像装置であって、
前記記録媒体収容部は、前記収容凹部の底壁の直下の前記カメラ本体部分に前後方向に延在して設けられ、
前記挿入口は、前記記録媒体収容部の後端に設けられ、
前記ビューファインダ部が前記第１位置に位置した状態で、前記後部を除いた前記ビューファインダ部によって前記底壁の上方が覆われ、かつ、前記後部により前記挿入口が覆われ、
前記ビューファインダ部が前記第１位置から第２位置に向けて揺動されることにより、前記挿入口が露出され、前記挿入口からの前記記録媒体収容部への記録媒体の挿入及び抜き取りが可能となる、
ことを特徴とする撮像装置。
【請求項２】
前記第１位置で前記ビューファインダ部の後部は前記底壁よりも後方に突出しており、
前記ビューファインダ部の前記後部に、前記第１位置で前記挿入口を覆う突起部が形成されている、
ことを特徴とする請求項１記載の撮像装置。
【請求項３】
前記記録媒体は半導体メモリであることを特徴とする請求項１記載の撮像装置。
【発明の詳細な説明】
【０００１】
【発明の属する技術分野】
本発明は、記録媒体が着脱可能に装着される撮像装置に関するものである。
【０００２】
【従来の技術】
ビデオカメラや電子スチルカメラなどの撮像装置においては、カメラ本体とこのカメラ本体に連結されたビューファインダ部とを有して構成され、カメラ本体には、撮影部と、記録媒体が着脱可能に収容される記録媒体収容部とが設けられた形態のものがある。
上記記録媒体は、例えば撮影部で撮影された画像の画像情報を記録するためのものであり、上記記録媒体収容部に着脱可能に収容されるようになっている。
従来、このような記録媒体収容部は、カメラ本体のケースの外側に面した部分あるいはケースの内部に設けられている。
また、記録媒体収容部は、記録媒体が装着されるほぼ閉塞された装着空間と、装着空間に対して記録媒体が挿入および抜き取られる挿入口とを有している。
【０００３】
【発明が解決しようとする課題】
このようにカメラ本体のケースの外側に面した部分に記録媒体収容部を設ける構成の撮像装置においては、記録媒体収容部が設けられた部分には他の操作ボタンや部品を配置することができず、部品配置の自由度が制限される問題がある。
また、ケースの内部に記録媒体収容部を設けた場合には部品配置の自由度に対する制限が少なくなるものの、記録媒体収容部の装着空間内への塵埃の侵入を防止するために挿入口を閉鎖する蓋を設ける必要がある。
本発明は、このような従来技術の課題を解決しようとするものであり、その目的とするところは、部品配置の自由度を制限することがなく、蓋などの余計な部品を削減することが可能な撮像装置を提供することにある。
【０００４】
【課題を解決するための手段】
本発明は、上記目的を達成するため、前後方向の長さと、左右方向の幅と、上下方向の高さとを有するカメラ本体と、前記カメラ本体に設けられた撮影部と、前記カメラ本体に設けられ前記撮影部で撮像された画像情報が記録される記録媒体が挿入口を介して装脱可能に収容される記録媒体収容部と、前記カメラ本体の上部に位置する上壁に形成され上方と後方とが開放状で前後方向に延在する収容凹部と、前後方向に延在して前方に位置する前部と後方に位置する後部とを有し、前記収容凹部に前記後部を除いた残りの部分が収容される大きさで形成され、前記前部が前記収容凹部の前部で左右方向に延在する軸心を中心として揺動可能に結合され、前記軸心を中心として、前記後部を除いた残りの部分が前記収容凹部に収容される第１位置と、前記後部が上方に突出するように傾斜した第２位置との間で揺動可能に設けられたビューファインダ部とを備える撮像装置であって、前記記録媒体収容部は、前記収容凹部の底壁の直下の前記カメラ本体部分に前後方向に延在して設けられ、前記挿入口は、前記記録媒体収容部の後端に設けられ、前記ビューファインダ部が前記第１位置に位置した状態で、前記後部を除いた前記ビューファインダ部によって前記底壁の上方が覆われ、かつ、前記後部により前記挿入口が覆われ、前記ビューファインダ部が前記第１位置から第２位置に向けて揺動されることにより、前記挿入口が露出され、前記挿入口からの前記記録媒体収容部への記録媒体の挿入及び抜き取りが可能となることを特徴とする。
そのため、本発明によれば、前記記録媒体収容部が前記ビューファインダー部が前記第１位置にあるときに前記ビューファインダー部に対面する前記カメラ本体部分、すなわち通常部品が配置されていない部分に設けられているので、記録媒体収容部によって部品配置の自由度が妨げられることがない。また、ビューファインダー部が第１位置にあるとき、このビューファインダー部を蓋として利用すれば、部品点数を削減することが可能となる。
【０００５】
【発明の実施の形態】
次に本発明の第１の実施の形態について図面を参照して説明する。
図１は第１の実施の形態における撮像装置の外観図である。図２は第１の実施の形態の撮像装置においてビューファインダ部が第１位置にある状態を示す説明図であり、図２（Ａ）は側面図、図２（Ｂ）は背面図である。図３は第１の実施の形態の撮像装置においてビューファインダ部が第２位置にある状態を示す説明図であり、図３（Ａ）は側面図、図３（Ｂ）は背面図である。
【０００６】
まず、図１、図２、図３を参照して撮像装置１０００の構成を説明する。
撮像装置１０００は、例えばビデオカメラであって、カメラ本体１００と、このカメラ本体１００に連結されたビューファインダ部２００とを備えて構成されている。
カメラ本体１００とビューファインダ部２００はそれぞれ前後方向の長さ、左右方向の幅、上下方向の高さを有して構成されている。
カメラ本体１００は、ケース１１０を有しており、このケース１１０は、矩形状の底壁１１１、底壁１１１の前後左右の縁部から立ち上げられた側壁１１２、１１３、１１４、１１５、これら各側壁の上部を接続する上壁１１６を有している。
カメラ本体１００には、撮影光学系を有する撮影部（不図示）と、後述する記録媒体３００が着脱可能に収容される記録媒体収容部１２０とが設けられている。
【０００７】
カメラ本体１００のケース１１０の上壁１１６には、後述するビューファインダ部２００を収容するための収容凹部１１７が設けられおり、ビューファインダ部２００の一部が収容されるようになっている。
収容凹部１１７は、前後方向に長さを左右方向に幅を有する矩形状の底壁１１７Ａと、底壁１１７Ａの左右縁部から立ち上げられた側壁１１７Ｂ、１１７Ｃと、底壁１１７Ａの前縁部から立ち上げられた前壁１１７Ｄとから囲まれて構成されている。
収容凹部１１７の後部、すなわち底壁１１７Ａ、側壁１１７Ｂ、１１７Ｃの後縁部で囲まれた部分は後方に臨む開口部１１７Ｅとして形成され、この開口部１１７Ｅを介して後述の記録媒体３００の挿入と抜き取りができるようになっている。
【０００８】
ビューファインダ部２００は、断面がほぼ矩形状を呈する筒状壁部２１０を有しており、筒状壁部２１０は、底壁２１１、底壁２１１の左右の縁部から立ち上げられた側壁２１２、２１３、これら側壁の上部を接続する上壁２１４を有している。
また、底壁２１１のうち、後端の部分は、下方に変位した底壁２１１Ａとして形成され、底壁２１１と底壁２１１Ａの間は段部２１１Ｂ（突起部）によって接続されている。
筒状壁部２１０の内部には、撮像部で撮影された画像を表示する不図示の表示器が設けられている。筒状壁部２１０の長さ方向の後端には、後方に臨んで窓部２１６が設けられ、この窓部２１６を介して上記表示器に表示される画像を見ることができるようになっている。
側壁２１２、２１３の長さ方向の前端近傍は、カメラ本体１００に保持され左右方向に延在する支軸２１５によって回転可能に支持されている。
したがって、ビューファインダ部２００は、図２、図３に示されているように、上下方向に傾動可能に設けられている。
【０００９】
図２に示されているように、ビューファインダ部２００がカメラ本体１００に合わされた位置（第１位置という）で、ビューファインダ部２００は、収容凹部１１７内にその一部が収容される。
ビューファインダ部２００が第１位置にあるとき、ビューファインダ部２００とカメラ本体１００とは、ビューファインダ部２００がカメラ本体１００に合わされビューファインダ部２００とカメラ本体１００とを合わせた全体の寸法が最小となるように構成されている。
図３に示されているように、ビューファインダ部２００がカメラ本体１００から上方に傾動されて突出された位置（第２位置という）で、ビューファインダ部２００は、収容凹部１１７内から上方に移動して開口部１１７Ｅが開放されるように構成されている。
【００１０】
図２、図３に示されているように、記録媒体収容部１２０は、カメラ本体１００の上壁１１６の収容凹部１１７の底壁１１７Ａの下部に設けられている。
つまり、記録媒体収容部１２０は、ビューファインダー部２００が第１位置にあるときにビューファインダー部２００に対面するカメラ本体１００の部分に設けられている。
記録媒体収容部１２０は、収容凹部１１７の底壁１１７Ａと、底壁１１７Ａの上方で底壁１１７Ａと平行に間隔をおいて延在する矩形状の上壁１２１と、底壁１１７Ａの左右縁部と上壁１２１の左右縁部をそれぞれ接続する側壁１１７Ｂ、１１７Ｃの部分とから構成されている。
【００１１】
そして、これら底壁１１７Ａ、上壁１２１、側壁１１７Ｂ、１１７Ｃで囲まれてほぼ閉塞された空間によって、記録媒体３００が装着される装着空間１２４が形成される。そして、底壁１１７Ａ、上壁１２１、側壁１１７Ｂ、１１７Ｃで囲まれた後端部側には、上記装着空間１２４に対して記録媒体３００が挿入および抜き取られる挿入口１２５が形成される。この挿入口１２５は収容凹部１１７の開口部１１７Ｅに臨むようになっている。
また、ビューファインダ部２００が図２に示す第１位置にあるとき、筒状壁部２１０の底壁２１１に形成された段部２１１Ｂ（突起部）によって挿入口１２５が閉塞され、ビューファインダ部２００が図３に示す第２位置にあるとき、筒状壁部２１０の底壁２１１に形成された段部２１１Ｂが挿入口１２５から離間して挿入口１２５が開放されるようになっている。
【００１２】
記録媒体３００は、前後方向の長さと、左右方向の幅と、上下方向の高さを有する矩形板状を呈している。そして、前端部分には電気信号を伝達するための接点が形成されている。
一方、記録媒体収容部１２０の前端部分には記録媒体３００に設けられた接点と接続されるコネクタが設けられており、記録媒体収容部１２０に記録媒体３００が挿入されて装着されることで上記接点部分とコネクタとの電気的接続が行なわれるように構成されている。
また、記録媒体３００は例えば半導体メモリから構成されている。
【００１３】
次に、上述のように構成された第１の実施の形態の撮像装置１０００において、記録媒体３００を装着する際の動作について説明する。
まず、撮像装置１０００は、記録媒体収容部１２０に記録媒体３００が収容されていない状態にあり、図２に示されているようにビューファインダ部２００が第１位置にあるものとする。
前述したように、ビューファインダ部２００がカメラ本体１００に合わされビューファインダ部２００とカメラ本体１００とを合わせた全体の寸法が最小となっている。このとき、収容凹部１１７にはビューファインダ部２００が収容されており、収容凹部１１７の開口部１１７Ｅはビューファインダ部２００で閉鎖されている。さらに、記録媒体収容部１２０の挿入口１２５は、ビューファインダ部２００の段部２１１Ｂによって閉塞されている。したがって、挿入口１２５から外部の塵埃が侵入することが防止されている。
【００１４】
次に、図３に示されているようにビューファインダ部２００を支軸２１５を中心にして第２位置に傾動させると、ビューファインダ部２００は、収容凹部１１７から上方に移動し、収容凹部１１７の開口部１１７Ｅが開放され、同時に、挿入口１２５からビューファインダ部２００の段部２１１Ｂが移動して挿入口１２５が開放される。
この状態で、記録媒体３００の前端を前方に向け、その長さ方向を前後方向と一致させた状態で収容凹部１１７の開口部１１７Ｅから挿入口１２５に挿入して押し入れる。すると、記録媒体３００は、記録媒体収容部１２０を構成する底壁１１７Ａ、上壁１２１、側壁１１７Ｂ、１１７Ｃに案内されて前方へ移動され、記録媒体収容部１２０のコネクタに記録媒体３００の接点部分が接続される。
次いで、図２に示されているように、ビューファインダ部２００を第１位置に傾動して戻すことで挿入口１２５はビューファインダ部２００の段部２１１Ｂにより閉塞される。
【００１５】
記録媒体３００には、撮影部によって撮像された画像情報が記録される。また、記録媒体３００に記録されている画像情報は例えばビューファインダ部２００の表示器に画像として再生表示される。
【００１６】
記録媒体３００を記録媒体収容部１２０から抜き取る際の動作は、上述した動作と概ね逆の動作となる。
すなわち、ビューファインダ部２００を第１位置から第２位置に傾動させて、挿入口１２５を開放して記録媒体３００を後方に向けて抜き取る。そして、ビューファインダ部２００を再び第１位置に戻す。
【００１７】
上述した第１の実施の形態の撮像装置１０００によれば、記録媒体収容部１２０は、ビューファインダー部２００が第１位置にあるときにビューファインダー部２００に対面するカメラ本体１００の部分、すなわち通常部品が配置されていない部分に設けられているので、記録媒体収容部１２０によって部品配置の自由度が妨げられることがない。
また、ビューファインダー部２００が第１位置にあるとき、このビューファインダー部２００が記録媒体収容部１２０の挿入口１２５の蓋として作用するため、部品点数を削減することが可能となる。
【００１８】
次に参考例について図面を参照して説明する。
図４は参考例の撮像装置においてビューファインダ部が第１位置にある状態を示す説明図であり、図４（Ａ）は側面図、図４（Ｂ）は背面図である。図５は参考例の撮像装置においてビューファインダ部が第２位置にある状態を示す側面図である。
【００１９】
参考例の撮像装置１０００Ａが第１の実施の形態の撮像装置１０００と異なるのは、参考例のビューファインダ部２００のカメラ本体１００に対する移動が傾動ではなく、前後方向へのスライド移動となっていることだけである。
なお、図４、図５の撮像装置１０００Ａにおいて、図１乃至図３の撮像装置１０００と同一の部分については同一の符号を付してその説明を割愛する。
【００２０】
図４、図５に示されているように、ビューファインダ部２００は、カメラ本体１００の収容凹部１１７に設けられた周知のスライド機構によってビューファインダ部２００の長さ方向がカメラ本体１００の前後方向と一致した状態で前後方向に移動可能に支持されている。
したがって、図４に示されているように、ビューファインダ部２００が第１位置にあるときには、筒状壁部２１０の底壁２１１に形成された段部２１１Ｂによって挿入口１２５が閉塞され、ビューファインダ部２００が図３に示す第２位置にあるとき、筒状壁部２１０の底壁２１１に形成された段部２１１Ｂが挿入口１２５から離間して挿入口１２５が開放される。
このような参考例の撮像装置１０００Ａにおいても、前述した第１の実施の形態と同様な作用効果を奏することはもちろんである。
【００２１】
また、本発明の撮像装置は、ビデオカメラに限定されるものではなく、例えば電子スチルカメラに適用することができる。
【００２２】
【発明の効果】
以上説明したように本発明は、前後方向の長さと、左右方向の幅と、上下方向の高さとを有するカメラ本体と、前記カメラ本体に設けられた撮影部と、前記カメラ本体に設けられ前記撮影部で撮像された画像情報が記録される記録媒体が挿入口を介して装脱可能に収容される記録媒体収容部と、前記カメラ本体の上部に位置する上壁に形成され上方と後方とが開放状で前後方向に延在する収容凹部と、前後方向に延在して前方に位置する前部と後方に位置する後部とを有し、前記収容凹部に前記後部を除いた残りの部分が収容される大きさで形成され、前記前部が前記収容凹部の前部で左右方向に延在する軸心を中心として揺動可能に結合され、前記軸心を中心として、前記後部を除いた残りの部分が前記収容凹部に収容される第１位置と、前記後部が上方に突出するように傾斜した第２位置との間で揺動可能に設けられたビューファインダ部とを備える撮像装置であって、前記記録媒体収容部は、前記収容凹部の底壁の直下の前記カメラ本体部分に前後方向に延在して設けられ、前記挿入口は、前記記録媒体収容部の後端に設けられ、前記ビューファインダ部が前記第１位置に位置した状態で、前記後部を除いた前記ビューファインダ部によって前記底壁の上方が覆われ、かつ、前記後部により前記挿入口が覆われ、前記ビューファインダ部が前記第１位置から第２位置に向けて揺動されることにより、前記挿入口が露出され、前記挿入口からの前記記録媒体収容部への記録媒体の挿入及び抜き取りが可能となる構成とした。
そのため、本発明によれば、前記記録媒体収容部が前記ビューファインダー部が前記第１位置にあるときに前記ビューファインダー部に対面する前記カメラ本体部分、すなわち通常部品が配置されていない部分に設けられているので、記録媒体収容部によって部品配置の自由度が妨げられることがない。また、ビューファインダー部が第１位置にあるとき、このビューファインダー部を蓋として利用すれば、部品点数を削減することが可能となる。
【図面の簡単な説明】
【図１】  第１の実施の形態における撮像装置の外観図である。
【図２】  第１の実施の形態の撮像装置においてビューファインダ部が第１位置にある状態を示す説明図であり、図２（Ａ）は側面図、図２（Ｂ）は背面図である。
【図３】  第１の実施の形態の撮像装置においてビューファインダ部が第２位置にある状態を示す説明図であり、図３（Ａ）は側面図、図３（Ｂ）は背面図である。
【図４】  参考例の撮像装置においてビューファインダ部が第１位置にある状態を示す説明図であり、図４（Ａ）は側面図、図４（Ｂ）は背面図である。
【図５】  参考例の撮像装置においてビューファインダ部が第２位置にある状態を示す側面図である。
【符号の説明】
１０００、１０００Ａ……撮像装置、１００……カメラ本体、１２０……記録媒体収容部、１１７……収容凹部、２００……ファインダー部、３００……記録媒体。
【図１】
0004441991.tif 000002
【図２】
0004441991.tif 000003
【図３】
0004441991.tif 000004
【図４】
0004441991.tif 000005
【図５】
0004441991.tif 000006